(57)【要約】【課題】フルート入口での圧力損失が小さく、かつコンパクト化が可能な換気装置を提供する。【解決手段】室内空気を吸引し建物の外へ排気する排気ファン３３と、建物の外の外気を吸い込み室内へ給気する給気ファン３４と、室内空気が流れる風路と外気が流れる風路の双方に亘って設けられ、回転しながら室内空気と外気との間で湿分の授受を行う除加湿ロータ１５と、室内空気の流れに沿って除加湿ロータ１５の上流側に配設され、除加湿ロータ１５に流入する室内空気を加熱可能な室内空気用ヒータ３１とを備えた換気装置であって、除加湿ロータ１５を、換気装置本体のケース２内に傾斜させて設置する。【選択図】        図１
2005042955.tif 000002
【特許請求の範囲】
【請求項１】
室内空気を吸引し建物の外へ排気するとともに、建物の外の外気を吸い込んで室内に給気して、前記建物内の部屋の換気を行う換気装置であって、
回転しながら前記室内空気と前記外気との間で湿分の授受を行い、かつ全熱交換及び少なくとも除湿または加湿を行うロータを、換気装置本体のケース内に傾斜させて設置したことを特徴とする換気装置。
【請求項２】
室内空気を吸引し建物の外へ排気する排気ファンと、
建物の外の外気を吸い込み室内へ給気する給気ファンと、
前記室内空気が流れる風路と前記外気が流れる風路の双方に亘って設けられ、回転しながら室内空気と外気との間で湿分の授受を行い、かつ全熱交換及び少なくとも除湿または加湿を行うロータと、
前記室内空気の流れに沿って前記ロータの上流側に配設され、該ロータに流入する前記室内空気を加熱可能な室内空気用ヒータとを備えた換気装置であって、
前記ロータを換気装置本体のケース内に傾斜させて設置したことを特徴とする換気装置。
【請求項３】
室内の空気を吸引し建物の外へ排気する排気ファンと、
建物の外の空気を吸い込み室内へ給気する給気ファンと、
前記排気ファンと前記給気ファンとが収納された装置本体ケースと、
前記排気ファンで吸引された空気の風路と前記給気ファンで吸い込まれた空気の風路の双方に亘って配され、且つ換気装置本体のケース内に水平または傾斜した状態で設置されて、回転しながら前記両空気間で湿分の授受を行うロータと、
前記各空気の流れに沿って前記ロータの上流側に配設され、前記ロータに流入する前記各空気を加熱可能なヒータとを備えた換気装置であって、
前記各空気の流れに沿って前記ヒータの上流側に配設され、前記各ファンによって送られてきた空気を前記ロータに向けて整流する空気整流部材を備えたことを特徴とする換気装置。
【請求項４】
室内の空気を吸引し建物の外へ排気する排気ファンと、
建物の外の空気を吸い込み室内へ給気する給気ファンと、
前記排気ファンと前記給気ファンとが収納された装置本体ケースと、
前記排気ファンで吸引された空気の風路と前記給気ファンで吸い込まれた空気の風路の双方に亘って配され、且つ換気装置本体のケース内に水平または傾斜した状態で設置されて、回転しながら前記両空気間で湿分の授受を行うロータと、
前記各空気の流れに沿って前記ロータの上流側に配設され、前記ロータに流入する前記各空気を加熱可能なヒータとを備えた換気装置であって、
前記各ファンによって送られ前記ケース内面に沿って流れてきた前記各空気の多くが当たる場所に、前記ヒータを配置したことを特徴とする換気装置。
【請求項５】
前記ヒータは、前記排気ファンで吸引された空気を加熱する場合は、前記排気ファンから離れた場所で且つ前記空気の流れに対して斜めに設置され、前記給気ファンで吸い込まれた空気を加熱する場合は、前記給気ファンに近い場所で且つ前記空気の流れに対して斜めに設置されていることを特徴とする請求項４に記載の換気装置。
【請求項６】
前記ロータの回転方向に沿って前記ヒータよりも下流側で且つ前記各ファンによって送られた一部の空気が当たる場所には、前記一部の空気の前記ロータへのの流入を阻止する阻止部材が設けられていることを特徴とする請求項４又は５に記載の換気装置。
【請求項７】
請求項１〜６のいずれか１項に記載の換気装置を備えたことを特徴とする住宅構造。
【発明の詳細な説明】
【０００１】
【発明の属する技術分野】
本発明は、２４時間連続して運転される換気装置、およびその換気装置を備えた住宅構造に関するものである。
【０００２】
【従来の技術】
近年、除加湿ロータを用いて、室内空気の除湿および加湿を行う換気装置が知られている。この換気装置は、除加湿ロータ以外に、室内空気を吸引する吸引ファンと、建物の外の外気を吸い込む吸込ファンと、吸引ファンで吸引した室内空気を除加湿ロータの上流側で加熱可能な室内空気用ヒータと、吸込ファンで吸い込んだ外気を除加湿ロータの上流側で加熱可能な外気用ヒータとを備えている（例えば、特許文献１、特許文献２参照）。
【０００３】
上記換気装置は、換気時には、室内空気用ヒータおよび外気用ヒータに通電しないで、吸引ファンで吸引した室内空気を建物の外の外気中へ排気するとともに、吸込ファンで吸い込んだ外気を室内へ給気している。
【０００４】
また、除湿時には、外気用ヒータだけを作動させ、吸引ファンで吸引した室内空気を除加湿ロータを通して室内に循環させるとともに、吸込ファンで吸い込んだ外気を除加湿ロータを通して建物の外の外気中へ排気することにより、除加湿ロータで室内空気を除湿するようにしている。
【０００５】
さらに、加湿時には、室内空気用ヒータだけを作動させ、吸引ファンで吸引した室内空気を除加湿ロータを通して室内に循環させるとともに、吸込ファンで吸い込んだ外気を除加湿ロータを通して建物の外の外気中へ排気することにより、除加湿ロータで室内空気を加湿するようにしている。
【０００６】
【特許文献１】
特許第２８３５６９５号公報（第２−４頁、第１−３図）
【特許文献２】
特開平９−１２６４９３号公報（第２−４頁、第１−２図）
【０００７】
【発明が解決しようとする課題】
しかしながら、上記従来の技術では、除加湿ロータが水平に設置されているので、除加湿ロータに形成された蜂の巣状のフルート（小穴）に直角方向から室内空気や外気が流入することになり、フルート入口での圧力損失が大きいという問題がある。また除加湿ロータが水平に設置されていると、換気装置本体のケースがその長手方向に長くなってしまい、換気装置本体のコンパクト化が難しい。
【０００８】
また、従来技術では、室内空気用ヒータは室内空気の流れに沿って除加湿ロータの上流側に、外気用ヒータは外気の流れに沿って除加湿ロータの上流側にそれぞれ設けられているが、これらのヒータは、室内空気や外気の流れ特性を考慮せずに、適当な場所に配置されているので、室内空気や外気を効率よく加熱できないという問題がある。なお、除加湿ロータの全面にヒータを取り付ければ室内空気や外気を十分に加熱することはできるが、これでは電力を消費しすぎてエネルギーが無駄である。
【０００９】
本発明の第１の課題は、フルート入口での圧力損失が小さく、かつコンパクト化が可能な換気装置、およびその換気装置を備えた住宅構造を提供することにある。
【００１０】
本発明の第２の課題は、室内空気や外気を効率よく加熱して、省エネに寄与することのできる換気装置、およびその換気装置を備えた住宅構造を提供することにある。
【００１１】
【課題を解決するための手段】
上記課題を解決するために、請求項１に記載の発明は、室内空気を吸引し建物の外へ排気するとともに、建物の外の外気を吸い込んで室内に給気して、前記建物内の部屋の換気を行う換気装置であって、回転しながら前記室内空気と前記外気との間で湿分の授受を行い、かつ全熱交換及び少なくとも除湿または加湿を行うロータを、換気装置本体のケース内に傾斜させて設置したことを特徴としている。
【００１２】
請求項２に記載の発明は、室内空気を吸引し建物の外へ排気する排気ファンと、建物の外の外気を吸い込み室内へ給気する給気ファンと、前記室内空気が流れる風路と前記外気が流れる風路の双方に亘って設けられ、回転しながら室内空気と外気との間で湿分の授受を行い、かつ全熱交換及び少なくとも除湿または加湿を行うロータと、前記室内空気の流れに沿って前記ロータの上流側に配設され、該ロータに流入する前記室内空気を加熱可能な室内空気用ヒータとを備えた換気装置であって、前記ロータを換気装置本体のケース内に傾斜させて設置したことを特徴としている。
【００１３】
上記各構成によれば、ロータが換気装置本体のケース内に傾斜して設置されているので、換気装置本体のケース内において、除湿時に室内空気や外気を水平方向に流すと、室内空気や外気はロータのフルート内に斜めに流入し、フルート入口での圧力損失を小さく抑えることができる。また、ロータが傾斜して設置されていれば、換気装置本体の長手方向の長さを小さくでき、これにより、換気装置本体のコンパクト化を図ることができる。
【００１４】
請求項３に記載の発明は、室内の空気を吸引し建物の外へ排気する排気ファンと、建物の外の空気を吸い込み室内へ給気する給気ファンと、前記排気ファンと前記給気ファンとが収納された装置本体ケースと、前記排気ファンで吸引された空気の風路と前記給気ファンで吸い込まれた空気の風路の双方に亘って配され、且つ換気装置本体のケース内に水平または傾斜した状態で設置されて、回転しながら前記両空気間で湿分の授受を行うロータと、前記各空気の流れに沿って前記ロータの上流側に配設され、前記ロータに流入する前記各空気を加熱可能なヒータとを備えた換気装置であって、前記各空気の流れに沿って前記ヒータの上流側に配設され、前記各ファンによって送られてきた空気を前記ロータに向けて整流する空気整流部材を備えたことを特徴としている。
【００１５】
上記構成によれば、排気ファンで吸引された空気または給気ファンで吸い込まれた空気は、空気整流部材によってヒータに向けて整流されて送られるので、フルート入口での圧力損失を小さく抑えることができる。
【００１６】
また、排気ファンで吸引された空気または給気ファンで吸い込まれた空気の多くは換気装置本体のケース内面に沿って流れ、このケース内面に沿って流れる空気の風速は速い。上記構成によれば、換気装置本体のケース内面に沿って流れる風速の速い空気はヒータで加熱せずにそのままロータに送り、換気装置本体のケース内面から離れて流れる風速の遅い空気を空気整流部材によりヒータに導くことができる。
【００１７】
ヒータの熱量は一定値に定められており、風速の速い空気をヒータに当てると、空気は温度が十分に上がらないため相対湿度が下がらず、ロータでの放湿が不十分となるが、上記構成では、風速の遅い空気を空気整流部材によって整流した後にヒータに導いているので、空気は温度が十分に上がり相対湿度が下がって、ロータでの放湿も十分となる。
【００１８】
請求項４に記載の発明は、室内の空気を吸引し建物の外へ排気する排気ファンと、建物の外の空気を吸い込み室内へ給気する給気ファンと、前記排気ファンと前記給気ファンとが収納された装置本体ケースと、前記排気ファンで吸引された空気の風路と前記給気ファンで吸い込まれた空気の風路の双方に亘って配され、且つ換気装置本体のケース内に水平または傾斜した状態で設置されて、回転しながら前記両空気間で湿分の授受を行うロータと、前記各空気の流れに沿って前記ロータの上流側に配設され、前記ロータに流入する前記各空気を加熱可能なヒータとを備えた換気装置であって、前記各ファンによって送られ前記ケース内面に沿って流れてきた前記各空気の多くが当たる場所に、前記ヒータを配置したことを特徴としている。
【００１９】
上述したように、排気ファンで吸引された空気または給気ファンで吸い込まれた空気の多くは換気装置本体のケース内面に沿って流れる。上記構成によれば、換気装置本体のケース内面に沿って流れる風速の速い空気だけをヒータで集中的に加熱することができ、その結果、空気を効率よく加熱することが可能となる。
【００２０】
上記ヒータは、請求項５のように、前記排気ファンで吸引された空気を加熱する場合は、前記排気ファンから離れた場所で且つ前記空気の流れに対して斜めに設置され、前記給気ファンで吸い込まれた空気を加熱する場合は、前記給気ファンに近い場所で且つ前記空気の流れに対して斜めに設置されているのが好ましい。
【００２１】
請求項６に記載の発明は、前記ロータの回転方向に沿って前記ヒータよりも下流側で且つ前記各ファンによって送られた一部の空気が当たる場所には、前記一部の空気の前記ロータへの流入を阻止する阻止部材が設けられていることを特徴ととしている。
【００２２】
排気ファンで吸引された空気または給気ファンで吸い込まれた空気の中には、換気装置本体のケース内面に沿って流れる多くの空気とは別に、吸引または吸い込まれた直後にロータに流入しようとする一部の空気がある。このような一部の空気はヒータで加熱されず、つまり相対湿度が下がることなくロータに流入するため、その湿分がロータに吸収されることになる。ところが、ロータは湿分を吸収すると吸湿能力が低下して、空気から湿分を吸収するという本来の機能に悪影響を与える。
【００２３】
これに対し、上記阻止部材を設けておけば、空気がヒータで加熱されずに、ロータへ流入するのを阻止することができるため、ロータが空気から湿分を吸収することはなく、吸湿能力の低下を抑制できる。
【００２４】
【発明の実施の形態】
以下、本発明の実施の形態を図面に従って説明する。
（実施の形態１）
図１〜図５は実施の形態１による換気装置を示しており、図１はその縦断面図、図２は横断面図、図３は図２のＡ−Ａ線に沿った矢視図、図４は図２のＢ−Ｂ線に沿った断面図、図５は図２のＣ−Ｃ線に沿った断面図である。
【００２５】
換気装置１は、図１〜図５に示すように、金属パネルからなる箱型の本体ケース２を備え、この本体ケース２の一側（図１の左側）には室内空気吸込口３および外気給気口４が設けられている。室内空気吸込口３および外気給気口４にはダクト５，６の一端がそれぞれ取り付けられ、これらダクト５，６の他端は建物内の各部屋（図示省略）に接続されている。
【００２６】
また、本体ケース２の他側（図１の右側）には室内空気排気口７および外気吸込口８が設けられている。室内空気排気口７および外気吸込口８にはダクト９，１０の一端がそれぞれ取り付けられ、これらダクト９，１０の他端は建物の外壁（図示省略）に接続されている。なお、外気吸込口８には、塵埃を除去するフィルタ１１が取り付けられている。
【００２７】
本体ケース２の内部は、上下方向に設けられた仕切り壁１２によって、一側空間（図１の左側の空間）と他側空間（図１の右側の空間）とに分割されている。一側空間内には傾斜壁１３が設けられている。この傾斜壁１３は、室内空気排気口７および外気吸込口８が設けられた縦壁１４側が高く、仕切り壁１２側が低くなっている。傾斜壁１３の中央部には円盤状の除加湿ロータ１５が配置されている。
【００２８】
上記一側空間は傾斜壁１３および除加湿ロータ１５によって上部空間と下部空間とに分割され、さらに上部空間は横壁１６Ａで、下部空間は横壁１６Ｂでそれぞれ上下に分割されている。また、上部空間と下部空間は中間縦壁１７によって水平方向に沿ってそれぞれ２つの室に分割されている。すなわち、本体ケース２内の一側空間には、傾斜壁１３の上方に室１８，１９が、横壁１６Ａの上方に室２０，２１がそれぞれ形成されている。また本体ケース２内の一側空間には、傾斜壁１３の下方に室２２，２３が、横壁１６Ｂの下方に室２４，２５がそれぞれ形成されている。なお、ダクト５は室２５に、ダクト６は室２２にそれぞれ連通している。
【００２９】
一方、本体ケース２の他側空間は横壁２６によって上下に分割され、横壁２６の下側に室２７が、横壁２６の上側に室２８がそれぞれ形成されている。なお、ダクト９は室２７に、ダクト１０は室２８にそれぞれ連通している。
【００３０】
仕切り壁１２には、室１９と室２７との間に開口２９が、室２０と室２８との間に開口３０がそれぞれ形成されている。
【００３１】
除加湿ロータ１５は横壁１３と同じ傾斜角度で傾斜して配置され、その上端面中央部は横壁１６Ａの傾斜部１６ａに、下端面中央部は横壁１６Ｂの傾斜部１６ｂにそれぞれ回転自在に支持されている。また除加湿ロータ１５は、その外表面が室１８〜２５内に略均等に露出している。
【００３２】
除加湿ロータ１５は、シリカゲル、ゼオライト、塩化リチウムなどの吸湿剤を含浸させたセルロースやセラミック繊維で構成されている。図示してないが、除加湿ロータ１５には、その外周面にギアが設けられ、このギアに例えばピニオン等を噛み合わせて、このピニオンを回転させることにより、除加湿ロータ１５を一定方向に所定の速度で回転させることができる。なお、除加湿ロータ１５の外周にベルトを掛け回して、このベルトを周回させることによっても、同様に除加湿ロータ１５を一定方向に所定の速度で回転させることができる。
【００３３】
また、除加湿ロータ１５には多数のフルート（小穴）１５Ａが形成され、これらフルート１５Ａを介して、室１８と室２４、室１９と室２５、室２０と室２２、および室２１と室２３は互に連通されている。各フルート１５Ａはハニカム構造に形成されている。
【００３４】
室２４には除加湿ロータ１５の下方に室内空気用ヒータとしてヒータ３１が、また室２０には除加湿ロータ１５の上方に外気用ヒータとしてヒータ３２がそれぞれ設置されている。図示してないが、ヒータ３１，３２は本体ケース２にそれぞれ固定されている。
【００３５】
室２７には排気ファン３３が、室２８には給気ファン３４がそれぞれ設けられている。これら排気ファン３３および給気ファン３４は、横壁２６に取り付けられたモータ３５の回転軸３５Ａに連結されている。また、排気ファン３３の近傍にはファンケース３６が、給気ファン３４の近傍にはファンケース３７がそれぞれ設けられている。
【００３６】
次に、上記構成の換気装置１の動作を説明する。なお、図１おいては、分かりやすくするために、室内空気吸込口３、外気給気口４、室内空気排出口７、外気吸込口８、ダクト５，６，９，１０、開口２９，３０、およびヒータ３１，３２は紙面同一面上に描かれている。
【００３７】
先ず、夏期等において部屋を除湿する場合は、モータ３５を回転させて排気ファン３３と給気ファン３４を回転駆動し、さらにヒータ３１だけに通電する。そうすると、建物の外の外気ＯＡは、図１に示すように、給気ファン３４によってダクト１０を介して室２８内に吸い込まれ、さらに仕切り壁１２の開口３０を通って室２０内に流入する。そして、室２０内に流入した外気ＯＡは除加湿ロータ１５のフルート１５Ａを通過する際に、その湿分が、除加湿ロータ１５に含浸された吸湿剤に吸収され、その後、室２２内に流入し、さらにダクト６を介して建物内の各部屋に乾燥した給気ＳＡとして供給される。
【００３８】
一方、室内空気ＲＡは、排気ファン３３に吸引されてダクト５を介して室２５内に流入する。そして、ヒータ３１で加熱されて相対湿度が下がった温風となって除加湿ロータ１５に送られる。除加湿ロータ１５に送られた温風は、除加湿ロータ１５のフルート１５Ａを通過する際に、吸湿剤に吸収されていた湿分を除加湿ロータ１５から奪い取り、その後、室１９、仕切り壁１２の開口２９、室２７を通りダクト９を介して、湿分を含む暖かい排出空気ＥＡとして建物の外へ排気される。
【００３９】
以上の動作を連続的に行えば、室内空気ＲＡが建物の外へ排出され、同時に新鮮な外気ＯＡが建物内の各部屋に供給されているので、建物内の各部屋の換気を行うことができ、またその換気と同時に、給気ＳＡに対する除湿も行うことが可能となる。
【００４０】
次に、冬期等において部屋を加湿する場合は、モータ３５を回転させて排気ファン３３と給気ファン３４を回転駆動し、さらにヒータ３２だけに通電する。そうすると、室内空気ＲＡは、排気ファン３３に吸引されてダクト５を介して室２５内に流入する。そして、室２５内に流入した室内空気ＲＡは除加湿ロータ１５を通過する際に、その湿分が、除加湿ロータ１５に含浸された吸湿剤に吸収され、その後、室１９、仕切り壁１２の開口２９、室２７を通りダクト９を介して、乾燥した排出空気ＥＡとして建物の外へ排出される。
【００４１】
一方、建物の外の外気ＯＡは、給気ファン３４によってダクト１０を介して室２８内に流れ、さらに仕切り壁１２の開口３０を通って室２０内に流入する。そして、室２０内に流入した外気ＯＡはヒータ３２で加熱されて相対湿度が下がった温風となって除加湿ロータ１５に送られる。除加湿ロータ１５に送られた温風は、除加湿ロータ１５のフルート１５Ａを通過する際に、吸湿剤に吸収されていた湿分を除加湿ロータ１５から奪い取り、その後、室２２を通り、さらにダクト６を介して建物内の各部屋に、湿分を含む給気ＳＡとして供給される。
【００４２】
以上の動作を連続的に行えば、室内空気ＲＡが建物の外へ排出され、同時に新鮮な外気ＯＡが建物内の各部屋に供給されているので、建物内の各部屋の換気を行うことができ、またその換気と同時に、給気ＳＡに対して加湿も行うことが可能となる。
【００４３】
次に、ヒータ３１，３２の双方とも通電しないで、排気ファン３３と給気ファン３４だけを回転駆動させた場合、排気ファン３３によって吸引された室内空気ＲＡと、給気ファン３４によって吸い込まれた外気ＯＡが除加湿ロータ１５を通過する際に、室内空気ＲＡと外気ＯＡとの間で全熱交換（潜熱と顕熱）を行わせることができる。
【００４４】
すなわち、夏期等の冷房時に除湿は行わず換気だけを行う場合は、ヒータ３１，３２には通電せず、モータ３５によって排気ファン３３と給気ファン３４だけを回転駆動させ、排気ファン３３によって吸引された冷たい室内空気ＲＡと、給気ファン３４によって吸い込まれた暖かい外気ＯＡとが、除加湿ロータ２７を通過する際に互に全熱交換を行う。その結果、建物の外へ排出される排出空気ＥＡの温度が高くなり、反対に建物内の各部屋に供給される給気ＳＡの温度が低くなるので、換気時の冷房効率の低下を極力抑えることが可能となる。
【００４５】
また、冬期等の暖房時に加湿は行わず換気だけを行う場合は、ヒータ３１，３２には通電せず、モータ３５によって排気ファン３３と給気ファン３４だけを回転駆動させる。そうすると、排気ファン３３によって吸引された暖かい室内空気ＲＡと、給気ファン３４によって吸い込まれた冷たい外気ＯＡとが、除加湿ロータ２７を通過する際に互に全熱交換を行う。その結果、建物の外へ排出される排出空気ＥＡの温度が低くなり、反対に建物内の各部屋に供給される給気ＳＡの温度が高くなるので、換気時の暖房効率の低下を極力抑えることが可能となる。
【００４６】
なお、除加湿ロータ１５の回転速度は、全熱交換換気時には数十回転／分に、除湿時または加湿時には数回転／分になるように回転速度切替手段により設定されている。回転速度切替手段は、モータの回転数を段階的または無段階に切替えることにより、除加湿ロータ１５の回転数が変わるようになっている。
【００４７】
本実施の形態では、除加湿ロータ１５が本体ケース２内に傾斜して設置されているので、室２０内において、給気ファン３４によって吸い込まれた外気ＯＡが除加湿ロータ１５のフルート１５Ａに斜め方向から流入することになり、フルート１５Ａでの外気ＯＡの圧力損失を小さく抑えることができる。
【００４８】
また、除加湿ロータ１５が傾斜して設置されているため、本体ケース５の長手方向の長さを小さくすることができ、その結果、換気装置全体のコンパクト化を図ることが可能である。
【００４９】
なお、本実施の形態において、ヒータ３２を省略した換気装置でもよい。ヒータ３２を省略すれば加湿機能は有しないので、除湿機能のみ備えた換気装置となる。
【００５０】
また、本実施の形態では換気装置１全体が天井裏に隠れてしまう隠蔽型の換気装置であったが、換気装置１としては、その底部が天井から露出した、いわゆる半隠蔽型の換気装置であってもよい。この場合は、図１（ｂ）に示すように、室内空気吸込口３の代わり、本体ケース２の底壁（室２５の底壁）に室内空気吸込開口２Ｂを形成する。そして、室内空気ＲＡが室内空気吸込開口２Ｂを介して本体ケース２の室２５内に流入するようにする
【００５１】
さらに、図１（ｃ）に示すように、室内空気吸込口３とダクト５に加えて、本体ケース２の底壁（室２５の底壁）に室内空気吸込開口２Ｂを形成したものでもよい。この場合は、室内空気ＲＡはダクト５と室内空気吸込開口２Ｂの双方を介して本体ケース２の室２５内に流入することになる。
【００５２】
（実施の形態２）
図６〜図１１は実施の形態２による換気装置を示しており、図６はその縦断面図、図７は横断面図、図８はヒータ位置を示した横断面図、図９は図７のＤ−Ｄ線に沿った矢視図、図１０は図７のＥ−Ｅ線に沿った断面図、図１１は図７のＦ−Ｆ線に沿った断面図である。
【００５３】
本実施の形態の換気装置１は、実施の形態１と同様、箱型の本体ケース２を備えている。ただ、本実施の形態では、実施の形態１と比較して、本体ケース２に取り付けられたダクトの位置が異なっている。すなわち、本体ケース２の一側（図６の左側）には室内空気排気口７および外気吸込口８が設けられている。室内空気排気口７および外気吸込口８にはダクト９，１０がそれぞれ取り付けられている。また、本体ケース２の他側（図６の右側）には室内空気吸込口３および外気給気口４が設けられている。室内空気吸込口３および外気給気口４にはダクト５，６がそれぞれ取り付けられている。
【００５４】
また、本実施の形態では、仕切り壁１２によって分割された本体ケース２内の一側空間（図６の左側空間）は、横壁４１によって上部空間と下部空間とに分割され、さらに上部空間と下部空間は中間縦壁４２によって水平方向に沿ってそれぞれ２つの室に分割されている。すなわち、横壁４１の下側に室４３，４４が、横壁４１の上側に室４５，４６がそれぞれ形成されている。
【００５５】
そして、横壁４１の中央部に除加湿ロータ１５が水平に設置されている。この除加湿ロータ１５は、本体ケース２の上壁２Ａに固定された支持軸４７の端部に回転自在に取り付けられている。除加湿ロータ１５はその外表面が、横壁４１下側の室４３，４４内および横壁４１上側の室４５，４６内に略均等に露出している。なお、横壁４１を斜めに設け、除加湿ロータ１５を傾斜させて設置してもよい。
【００５６】
本体ケース２内の他側空間（図６の右側空間）には、実施の形態１と同様に横壁２６によって上下に分割され、室２７と室２８とが形成されているが、本実施の形態では、室２７内に給気ファン３４が、室２８内に排気ファン３３がそれぞれ設けられている。これら給気ファン３４および排気ファン３３はモータ３５によって回転駆動される。
【００５７】
本実施の形態では、室４５内のうち縦壁１２に近い側の略半分の空間に空気整流部材４８が設けられている。この空気整流部材４８には、排気ファン３３から吐出された室内空気ＲＡの流れに対して直角方向に複数のフィン４８Ａが設けられ、各フィン４８Ａ間には空気流が通るための隙間が形成されている。各フィン４８Ａは排気ファン３３から離れるにつれて高さが高くなっており、かつ上部先端が排気ファン３３側に同等に傾斜している。また、各フィン４８Ａは両端部が支持板４８Ｂで支持され、排気ファン３３から吐出される外気ＯＡの流れに耐える強度を持っている。なお、空気整流部材４８は本体ケース２に固定されている。
【００５８】
また、空気整流部材４８の下側には室内空気用のヒータ４９が設けられている（図８参照）。ヒータ４９は、空気整流部材４８のフィン４８Ａに対して斜めに配置されている。
【００５９】
次に、本実施の形態による換気装置１の動作を説明する。なお、図６おいては、分かりやすくするために、室内空気吸込口３、外気給気口４、室内空気排出口７、外気吸込口８、ダクト５，６，９，１０、開口２９，３０、およびヒータ４９は紙面同一面上に描かれている。
【００６０】
先ず、部屋を除湿する場合は、排気ファン３３と給気ファン３４を回転駆動し、さらにヒータ４９に通電する。そうすると、建物の外の外気ＯＡは、給気ファン３４によって吸い込まれ、ダクト１０を介して室４６内に流入する。そして、室４６内に流入した外気ＯＡは、除加湿ロータ１５のフルート１５Ａを通過する際に、その湿分が、除加湿ロータ１５に含浸された吸湿剤に吸収される。その後、外気ＯＡは室４４内に流入し、さらに仕切り壁１２の開口２９、室２７、ダクト６を介して建物内の各部屋に乾燥した給気ＳＡとして供給される。
【００６１】
一方、室内空気ＲＡは、排気ファン３３に吸引されてダクト５を介して室２８内に流入し、さらに仕切り壁１２の開口３０を通って室４５内に流入する。室４５内に流入した室内空気ＲＡは、空気整流部材４８のフィン４８Ａの先端開口部からフィン４８Ａ間に隙間に流れ込み、さらにヒータ４９で加熱されてから、除加湿ロータ１５に送られる。このとき、室内空気ＲＡは、その流れ方向が空気整流部材４８によって略下向き（除加湿ロータ１５の上端面に対して略垂直方向）となり、除加湿ロータ４８のフルート４８Ａにスムーズに流入する。その結果、フルート４８Ａでの室内空気ＲＡの圧力損失を小さく抑えることができる。
【００６２】
ヒータ４９で加熱されて相対湿度が下がった室内空気ＲＡは、除加湿ロータ１５のフルート１５Ａを通過する際に、吸湿剤に吸収されていた湿分を除加湿ロータ１５から奪い取り、その後、室４３に流れダクト９を介して、湿分を含む暖かい排出空気ＥＡとして建物の外へ排気される。
【００６３】
以上の動作を連続的に行えば、室内空気ＲＡが建物の外へ排出され、同時に新鮮な外気ＯＡが建物内の各部屋に供給されているので、建物内の各部屋の換気を行うことができ、またその換気と同時に、給気ＳＡに対する除湿も行うことが可能となる。
【００６４】
なお、室４６において、除加湿ロータ１５の上端面近傍に外気用ヒータを設置すれば、この外気用ヒータだけ通電して換気装置を作動させることにより、建物内の各部屋の加湿を行うことも可能である。また、ヒータ４９に通電しないで、排気ファン３３と給気ファン３４を回転駆動させるだけでも、建物内の各部屋の換気を行うことができる。
【００６５】
排気ファン３３から排気された室内空気ＲＡの多くは本体ケース２の内面に沿って流れる。本実施の形態によれば、空気整流部材４８が排気ファン３３に近い側に配置され、かつ空気整流部材４８上部と本体ケース２内面との間に隙間が形成されているので、排気ファン３３から排気された室内空気ＲＡのうち、本体ケース２内面に沿って流れる風速が速い室内空気を加熱せずにそのまま除加湿ロータ１５に送り、風速の遅い室内空気を空気整流部材４８によってヒータ４９に導いて加熱することができる。
【００６６】
ヒータ４９の熱量は一定値に定められており、風速の速い室内空気をヒータ４９に当てると、室内空気は温度が十分に上がらないため相対湿度が下がらず、除加湿ロータ１５での放湿が不十分となるが、本実施の形態では、風速の遅い室内空気を空気整流部材４８によりヒータ４９に導いているので、室内空気は温度が十分に上がり相対湿度が下がって、除加湿ロータ１５での放湿も十分となる。
【００６７】
（実施の形態３）
図１２〜図１５は実施の形態３による換気装置を示しており、図１２はその縦断面図、図１３は横断面図、図１４は図１３のＧ−Ｇ線に沿った断面図、図１５は図１３のＨ−Ｈ線に沿った断面図である。なお、図１３のＤ−Ｄ線に沿った矢視図は図９と同じである。
【００６８】
本実施の形態では、室４５において、除加湿ロータ１５の上端面近傍に室内空気用のヒータ５１が設置されている。このヒータ５１は、室４５の中で排気ファン３３から離れた場所、つまり室内空気排気口７および外気吸込口８が設けられた縦壁１４に近い側が配置されている。また、ヒータ５１は除加湿ロータ１５の半径方向に沿って設置され、且つ排気ファン３３から吐出された室内空気ＲＡの流れに対して斜めに配置されている。空気整流部材４８が設置されていない点を除けば、他の構成は実施の形態２と同様である。
【００６９】
排気ファン３３から吐出された室内空気ＲＡの多くは本体ケース２の上部内面に沿って流れる。本実施の形態によれば、排気ファン３３から吐出された室内空気ＲＡのうち、本体ケース２の上部内面に沿って流れる風速が速い室内空気だけをヒータ５１で集中的に加熱することができる。
【００７０】
なお、換気時および除湿時における室内空気ＲＡ、排気空気ＥＡ、外気ＯＡ、給気ＳＡの流れは、実施の形態２の場合と同様である。
【００７１】
また、室４６において、除加湿ロータ１５の上端面近傍に外気用のヒータ５４（図１３参照）を設置すれば、このヒータ５４だけに通電して換気装置を作動させることにより、建物内の各部屋の加湿を行うことも可能である。さらに、ヒータ５１に通電しないで、排気ファン３３と給気ファン３４を回転駆動させるだけでも、建物内の各部屋の換気を行うことができる。
【００７２】
さらに、本実施の形態においては、図１６および図１７に示すように、除加湿ロータ１５の回転方向（矢印Ａ方向）に沿ってヒータ１６よりも下流側で且つ排気ファン３３から排気された一部の室内空気が当たる場所、すなわち室４５内で仕切り壁１２に接近した側には阻止部材５２が設けられている。この阻止部材５２は半径は除加湿ロータ５１よりも僅かに大きい扇形をなしており、除加湿ロータ１５の上方で且つ仕切り壁１２の開口３０よりも下方位置に設置されている。
【００７３】
また、除加湿ロータ１５の下側には仕切り板５３が設けられ、この仕切り板５３によって、室４３は、縦壁１４に近い側の室４３Ａと、仕切り壁１２に近い側の室４３Ｂとに分割されている。
【００７４】
排気ファン３３から排気された室内空気ＲＡの中には、本体ケース２内面に沿って流れる多くの室内空気とは別に、排気ファン３３から排気されて直ぐに除加湿ロータ１５に流入しようとする一部の室内空気がある。このような一部の室内空気はヒータ５１で加熱されず、つまり相対湿度が下がることなく除加湿ロータ１５に流入するため、その湿分が除加湿ロータに吸収されることになる。
【００７５】
ところが、除加湿ロータ１５は湿分を吸収すると吸湿能力が低下して、給気ファン３４によって吸い込まれた外気ＯＡから湿分を吸収するという本来の機能に悪影響を与える。
【００７６】
そこで、上記のように阻止部材５２を設けておけば、一部の室内空気がヒータ１５で加熱されずに除加湿ロータ１５へ直接流入するのを阻止することができるため、除加湿ロータ１５が室内空気ＲＡから湿分を吸収することはなく、除加湿ロータ１５の吸湿能力の低下を抑制することができる。
【００７７】
また、上記構成において、ヒータ５１を通過した室内空気ＲＡは除加湿ロータ１５から湿分を奪い取って、湿分を多く含む排出空気ＥＡとしてダクト９から排気されることとなるが、除加湿ロータ１５通過後の排出空気ＥＡの一部が阻止部材５２下方で除加湿ロータ１５に接触すると、除加湿ロータ１５は排出空気ＥＡ中の湿分を吸収してしまい、上記と同様に、吸湿能力が低下する。
【００７８】
本実施の形態では、除加湿ロータ１５の下側に仕切り板５３が設けられ、室４３が室４３Ａと室４３Ｂとに分割されているので、除加湿ロータ１５通過後の排出空気ＥＡは、室４３Ｂに流入することはなく、室４３Ａだけを通って排気される。これによって、除加湿ロータ１５の吸湿能力の低下をより一層抑制することができる。
【００７９】
上記実施の形態１〜３において、本体ケース２の下面に開口部を設け、室内空気吸込口３およびダクト５の代わり前記開口部から室内空気ＲＡを吸引するようにしてもよい。また、室内空気吸込口３およびダクト５に更に前記開口部を追加して、室内空気吸込口３およびダクト５、並びに前記開口部の双方から室内空気ＲＡを吸引するようにしてもよい。このようにすれば、天井埋め込み型や天井カセット型のいずれの換気装置にも適用可能となる。
【００８０】
（実施の形態４）
図１８および図１９は実施の形態４による換気装置を示しており、図１８はその縦断面図、図１９は横断面図である。
【００８１】
本実施の形態では、本体ケース２の一側（図１８の左側）に室内空気排気口７および外気吸込口８が、他側（図１８の右側）に室内空気吸込口３および外気給気口４がそれぞれ設けられている。そして、室内空気排気口７にはダクト９が、外気吸込口８にはダクト１０が、室内空気吸込口３にはダクト５が、外気給気口４にはダクト６がそれぞれ取り付けられている。
【００８２】
また、本体ケース２内の仕切り壁１２により分割された一側空間（図１８の左側の空間）には傾斜壁６１が設けられ、この傾斜壁６１は、縦壁１４と仕切り壁１２間に掛け渡されている。傾斜壁６１は、その一端が室内空気排気口７の下側で縦壁１４に、他側が開口２９の上側で仕切り壁１２にそれぞれ固定されて、縦壁１４側が高く、仕切り壁１２側が低くなっている。傾斜壁６１の中央部には円盤状の除加湿ロータ１５が回転自在に設けられ、この除加湿ロータ１５は、回転駆動機構（図示省略）によって、傾斜壁６１と平行な面内で回転駆動される。
【００８３】
上記一側空間は傾斜壁６１および除加湿ロータ１５によって上部空間と下部空間とに分割され、さらに上部空間および下部空間は上下方向に設けられた中間縦壁６２によって水平方向に沿ってそれぞれ２つの室に分割されている。これにより、本体ケース２内の一側空間には、傾斜壁６１の上方に室６３，６４が、傾斜壁６１の下方に室６５，６６がそれぞれ形成されている。そして、除加湿ロータ１５は、その外表面が室６３〜６６内に略均等に露出している。なお、ダクト９は室６４に、ダクト１０は室６５にそれぞれ連通している。
【００８４】
また、本実施の形態においては、室６５には除加湿ロータ１５の下側近傍に室外気用のヒータ３２が、室６６には除加湿ロータ１５の下側近傍に室内空気用のヒータ３１がそれぞれ設けられている。
【００８５】
一方、本体ケース２内の仕切り壁１２により分割された他側空間（図１８の右側の空間）には室２７，２８が形成され、室２７には排気ファン３３が、室２８には給気ファン３４がそれぞれ設けられている。また、ダクト５は室２７に、ダクト６は室２８にそれぞれ連通している。なお、３６Ａは排気ファン３３のファンケース、３７Ａは給気ファン３４のファンケースである。他の構成は実施の形態１の場合と同様である。
【００８６】
次に、上記構成の換気装置１の動作を説明する。
先ず、部屋の除湿する場合は、排気ファン３３と給気ファン３４を回転駆動し、さらにヒータ３１だけに通電する。すると、建物の外の外気ＯＡは、ダクト１０を介して室６５内に流入し、さらに除加湿ロータ１５へと送られる。除加湿ロータ１５へ送られた外気ＯＡは、除加湿ロータ１５のフルート１５Ａを通過する際に、その湿分が、除加湿ロータ１５に含浸された吸湿剤に吸収され、その後、室６３内に流入する。さらに、室６３内に流入した外気ＯＡは仕切り壁１２の開口３０を通り、室２８、ダクト６を介して建物内の各部屋に乾燥した給気ＳＡとして供給される。
【００８７】
一方、室内空気ＲＡは、排気ファン３３に吸引されてダクト５を介して室２７内に流れ、仕切り壁１２の開口２９を通って室６６内に流入する。そして、ヒータ３１で加熱されて相対湿度が下がった温風となって除加湿ロータ１５に送られる。除加湿ロータ１５に送られた温風は、除加湿ロータ１５のフルート１５Ａを通過する際に、吸湿剤に吸収されていた湿分を除加湿ロータ１５から奪い取り、その後、室６４およびダクト９を介して、湿分を含む暖かい排出空気ＥＡとして建物の外へ排気される。
【００８８】
以上の動作を連続的に行えば、室内空気ＲＡが建物の外へ排出され、同時に新鮮な外気ＯＡが建物内の各部屋に供給されているので、建物内の各部屋の換気を行うことができ、またその換気と同時に、給気ＳＡに対する除湿も行うことが可能となる。
【００８９】
次に、部屋の加湿する場合は、排気ファン３３と給気ファン３４を回転駆動し、さらにヒータ３２だけに通電する。すると、室内空気ＲＡは、排気ファン３３に吸引されてダクト５を介して室２７内に流入する。室２７内に流入した室内空気ＲＡは、仕切り壁１２の開口２９を通って室６６へ流入して、除加湿ロータ１５へ送られる。そして、室内空気ＲＡは除加湿ロータ１５を通過する際に、その湿分が、除加湿ロータ１５に含浸された吸湿剤に吸収され、その後、室６４、ダクト９を介して乾燥した排出空気ＥＡとして建物の外へ排出される。
【００９０】
一方、建物の外の外気ＯＡは、給気ファン３４によってダクト１０を介して室６５内に流入する。そして、室６５内に流入した外気ＯＡはヒータ３２で加熱されて相対湿度が下がった温風となって除加湿ロータ１５に送られる。除加湿ロータ１５に送られた温風は、除加湿ロータ１５のフルート１５Ａを通過する際に、吸湿剤に吸収されていた湿分を除加湿ロータ１５から奪い取り、室６３へ流れる。その後、外気ＯＡは仕切り壁１２の開口３０を通って室２８へ流れ、さらにダクト６を介して湿分を含む給気ＳＡとして建物内の各部屋に供給される。
【００９１】
以上の動作を連続的に行えば、室内空気ＲＡが建物の外へ排出され、同時に新鮮な外気ＯＡが建物内の各部屋に供給されているので、建物内の各部屋の換気を行うことができ、またその換気と同時に、給気ＳＡに対して加湿も行うことが可能となる。
【００９２】
また、ヒータ３１，３２の双方とも通電しないで、排気ファン３３と給気ファン３４だけを回転駆動させた場合は、排気ファン３３によって吸引された室内空気ＲＡと、給気ファン３４によって吸い込まれた外気ＯＡが除加湿ロータ１５を通過する際に、室内空気ＲＡと外気ＯＡとの間で全熱交換（潜熱と顕熱）を行わせることができる。
【００９３】
また、本実施の形態では換気装置１全体が天井裏に隠れてしまう隠蔽型の換気装置であったが、換気装置１としては、その底部が天井から露出した、いわゆる半隠蔽型の換気装置であってもよい。この場合は、図１８（ｂ）に示すように、室内空気吸込口３の代わり、本体ケース２の底壁（室２７の底壁）に室内空気吸込開口２Ｃを形成する。そして、室内空気ＲＡが室内空気吸込開口２Ｃを介して本体ケース２の室２７内に流入するようにする
【００９４】
さらに、図１８（ｃ）に示すように、室内空気吸込口３とダクト５に加えて、本体ケース２の底壁（室２７の底壁）に室内空気吸込開口２Ｃを形成したものでもよい。この場合は、室内空気ＲＡはダクト５と室内空気吸込開口２Ｃの双方を介して本体ケース２の室２７内に流入することになる。
【００９５】
（実施の形態５）
図２０は実施の形態５を示している。本実施の形態は、上記実施の形態１〜４で示した換気装置１を一戸建て住宅（住戸）に設置した一例である。住宅７０内の通路７１の天井には換気装置１が設置されている。換気装置１に取り付けられたダクト６（給気ＳＡが通るダクト）には分岐チャンバ７２が取り付けられ、この分岐チャンバ７２によってダクト６は３つのダクト６Ａ，６Ｂ，６Ｃに分岐されている。分岐されたダクト６Ａ，６Ｂ，６Ｃの各先端には給気口７３が取り付けられ、これら給気口７３のうち、２つの給気口はダイニング・リビングルーム７４に、残りの１つの給気口は和室７５にそれぞれ設けられている。
【００９６】
換気装置１に取り付けられたダクト５（室内空気ＲＡが通るダクト）の先端には、洗面所７６に開口した室内空気吸込開口７７が取り付けられている。また、ダクト９（排出空気ＥＡが通るダクト）の先端には排気フード７８が、ダクト１０（外気ＯＡが通るダクト）の先端には吸込フード７９がそれぞれ設けられ、これらフード７８，７９は住宅７０の外壁に固定されている。
【００９７】
上記構成において、室内空気ＲＡは換気装置１内に吸引された後に排出空気ＥＡとして外気中に排出され、外気ＯＡは換気装置１内に吸い込まれた後にダイニング・リビングルーム７４および和室７５に給気ＳＡとして供給されて、換気が行われ、また、この換気時に室内空気ＲＡと外気ＯＡとの間で全熱交換や除湿または加湿が行われる。
【００９８】
ダイニング・リビングルーム７４に供給された給気ＳＡは、室内空気ＲＡとなって引き戸８０下部のアンダーカット部（図示省略）を矢印Ａのように流れ、また和室７５に供給された給気ＳＡも、室内空気ＲＡとなってドア８１下部のアンダーカット部（図示省略）を矢印Ｂのように流れて、洗面所７６に集められ、室内空気吸込開口７７を介して換気装置１内に流入する。
【００９９】
なお、本体ケース２に室内空気吸込開口２Ｂ（図１（ｂ）参照）や室内空気吸込開口２Ｃ（図１８（ｂ）参照）が形成されている場合は、ダイニング・リビングルーム７４や和室７５内の室内空気ＲＡは通路７１に集められ、室内空気吸込開口２Ｂまたは２Ｃを介して換気装置１内に流入する。
【０１００】
また、本体ケース２にダクト５に加えて、室内空気吸込開口２Ｂ（図１（ｂ）参照）や室内空気吸込開口２Ｃ（図１８（ｂ）参照）が形成されている場合は、ダイニング・リビングルーム７４や和室７５内の室内空気ＲＡは通路７１に集められて、室内空気吸込開口２Ｂまたは２Ｃを介して換気装置１内に流入するとともに、洗面所７６の室内空気ＲＡは室内空気吸込開口７７を介して換気装置１内に流入する。
【０１０１】
【発明の効果】
以上説明したように、本発明によれば、除加湿ロータを換気装置本体のケース内に傾斜して設置したこと、または空気整流部材を設けたことにより、空気が除加湿ロータのフルートに流入しやすくなり、フルート入口での圧力損失を小さく抑えることができる。
【０１０２】
また、除加湿ロータを傾斜させて設置したことにより、換気装置本体の長手方向の長さを小さくでき、換気装置全体のコンパクト化が可能である。
【０１０３】
さらに、排気ファンから排気されケース内面に沿って流れてきた室内空気の多くが当たる場所に室内空気用ヒータを設置したことにより、風速が速い室内空気だけを室内空気用ヒータで集中的に加熱することができ、室内空気を効率よく加熱することが可能となる。その結果、省エネに寄与することができる。
【図面の簡単な説明】
【図１】実施の形態１による換気装置の縦断面図である。
【図２】図１に示した換気装置の横断面図である。
【図３】図２のＡ−Ａ線に沿った矢視図である。
【図４】図２のＢ−Ｂ線に沿った断面図である。
【図５】図２のＣ−Ｃ線に沿った断面図である。
【図６】実施の形態２による換気装置の縦断面図である。
【図７】図６に示した換気装置の横断面図である。
【図８】ヒータ位置を示した換気装置の横断面図である。
【図９】図７のＤ−Ｄ線に沿った矢視図である。
【図１０】図７のＥ−Ｅ線に沿った断面図である。
【図１１】図７のＦ−Ｆ線に沿った断面図である。
【図１２】実施の形態３による換気装置の縦断面図である。
【図１３】図１２に示した換気装置の横断面図である。
【図１４】図１３のＧ−Ｇ線に沿った断面図である。
【図１５】図１３のＨ−Ｈ線に沿った断面図である。
【図１６】阻止部材が設けられた換気装置の縦断面図である。
【図１７】阻止部材が設けられた換気装置の横断面図である。
【図１８】実施の形態４による換気装置の縦断面図である。
【図１９】図１８に示した換気装置の横断面図である。
【図２０】実施の形態５による一戸建て住宅の平面図である。
【符号の説明】
１  換気装置
２  本体ケース
３  室内空気吸込口
４  外気給気口
７  室内空気排気口
８  外気吸込口
１３，６１  傾斜壁
１５  除加湿ロータ
１５Ａ  フルート
１８〜２５，２７，２８，６３〜６６  室
３１，４９，５１  室内空気用のヒータ
３２  外気用のヒータ
３３  排気ファン
３４  給気ファン
３５  モータ
４８  空気整流部材
４８Ａ  フィン
４８Ｂ  支持板
５２  阻止部材
５３  仕切り板
７０  住宅
【図１】
2005042955.tif 000003
【図２】
2005042955.tif 000004
【図３】
2005042955.tif 000005
【図４】
2005042955.tif 000006
【図５】
2005042955.tif 000007
【図６】
2005042955.tif 000008
【図７】
2005042955.tif 000009
【図８】
2005042955.tif 000010
【図９】
2005042955.tif 000011
【図１０】
2005042955.tif 000012
【図１１】
2005042955.tif 000013
【図１２】
2005042955.tif 000014
【図１３】
2005042955.tif 000015
【図１４】
2005042955.tif 000016
【図１５】
2005042955.tif 000017
【図１６】
2005042955.tif 000018
【図１７】
2005042955.tif 000019
【図１８】
2005042955.tif 000020
【図１９】
2005042955.tif 000021
【図２０】
2005042955.tif 000022